(57)【要約】【課題】  本考案は、前記ポケットティッシュ箱からポケットティッシュペーパーを取り出し易いポケットティッシュ箱に関するものである。【解決手段】  ポケットティッシュ箱の前面板は、底板に取り付けられているとともに、前部開口部が設けられている。前記左側板と底板に取り付けられた後面板には、前記前部開口部と同じ形状の後部開口部が設けられている。前面板と底板に取り付けられた左側板と、後面板と前記前面板および底板に取り付けられた右側板とは、ポケットティッシュ箱の強度を保持するために開口部が設けられていない。前記ポケットティッシュ箱は、前部と後部に開口部があるため、ポケットティッシュペーパーの量が判るだけでなく、取り出しが容易である。【選択図】    図１
0003105973.tif 000002
【実用新案登録請求の範囲】
【請求項１】
ポケットティッシュペーパーが積み重ねられて収納され、所望の枚数を取り出し易いポケットティッシュ箱において、
底板に取り付けられ、前部開口部を有する前面板と、
前記前面板と底板に取り付けられた左側板と、
前記左側板と底板に取り付けられ、後部開口部を有する後面板と、
前記後面板と前記前面板および底板に取り付けられた右側板と、
から構成されていることを特徴とするポケットティッシュ箱。
【請求項２】
ポケットティッシュペーパーが積み重ねられて収納され、所望の枚数を取り出し易いポケットティッシュ箱において、
底板に取り付けられ、ほぼ前記底板に達する前部開口部を有する前面板と、
前記前面板と底板に取り付けられ、前記前部開口部に次ぐ深さに達する左側部開口部を有する左側板と、
前記左側板と底板とに取り付けられ、前記左側部開口部より浅い後部開口部を有する後面板と、
前記後面板と前記前面板および底板に取り付けられ、前記後部開口部よりさらに浅い右側部開口部を有する右側板と、
から構成されていることを特徴とするポケットティッシュ箱。
【考案の詳細な説明】
【技術分野】
【０００１】
本考案は、街頭等で配られたポケットティッシュの袋を破き、ポケットティッシュペーパーだけを積み重ねて蓄えておくことができるポケットティッシュ箱に関するものである。本考案は、前記ポケットティッシュ箱からポケットティッシュペーパーを取り出し易いポケットティッシュ箱に関するものである。
【背景技術】
【０００２】
街頭等で配られるポケットティッシュは、ポケットに入れておくと、必要な時に使用でき、便利である。しかし、前記ポケットティッシュは、多く集まると、家庭やオフィスにおいても使用できる。家庭やオフィスで使用する場合、前記ポケットティッシュは、いちいち袋を破り、中からポケットティッシュペーパーを出す必要があり、使用勝手が必ずしも便利ではない。
【０００３】
たとえば、特開２０００−２９６８８９号公報に記載されているポケットティッシュ収容容器は、内部にポケットティッシュペーパーを複数積み重ねて収容できる収容部を有し、その下端部にポケットティッシュペーパーを抜き取り可能な抜き取り口が設けられている。
【特許文献１】特開２０００−２９６８８９号公報
【考案の開示】
【考案が解決しようとする課題】
【０００４】
前記特許文献１に記載されたポケットティッシュペーパー収容容器は、下部開口から順に取り出すことができるため、古い順に使用できる点で効果がある。しかし、前記ポケットティッシュペーパー収容容器は、ポケットティッシュペーパーを入れ難く、出し難いという問題がある。また、前記ポケットティッシュペーパー収容容器は、下部に取り出し口を設けるため、加工が容易ではないという問題があった。
【０００５】
以上のような課題を解決するために、本考案は、ポケットティッシュペーパーが積み重ね易く、取り出し易いポケットティッシュ箱を提供することを目的とする。また、本考案は、作製が容易で、強度的およびデザイン的にも優れたポケットティッシュ箱を提供することを目的とする。
【課題を解決するための手段】
【０００６】
（第１考案）
第１考案のポケットティッシュ箱は、ポケットティッシュペーパーが積み重ねられて収納され、所望の枚数を取り出し易くするものであり、底板に取り付けられ、前部開口部を有する前面板と、前記前面板と底板に取り付けられた左側板と、前記左側板と底板に取り付けられ、後部開口部を有する後面板と、前記後面板と前記前面板および底板に取り付けられた右側板とから構成されたことを特徴とする。
【０００７】
（第２考案）
第２考案のポケットティッシュ箱は、ポケットティッシュペーパーが積み重ねられて収納され、所望の枚数を取り出し易くするものであり、底板に取り付けられ、ほぼ前記底板に達する前部開口部を有する前面板と、前記前面板と底板に取り付けられ、前記前部開口部に次ぐ深さに達する左側部開口部を有する左側板と、前記左側板と底板とに取り付けられ、前記左側部開口部より浅い後部開口部を有する後面板と、前記後面板と前記前面板および底板に取り付けられ、前記後部開口部よりさらに浅い右側部開口部を有する右側板とから構成されていることを特徴とする。
【考案の効果】
【０００８】
本考案によれば、ポケットティッシュ箱の前部と後部に開口部があるため、ポケットティッシュペーパーの残り量が判るだけでなく、前後から指が入れられ、取り出しが容易である。
【０００９】
本考案によれば、ポケットティッシュ箱の各開口部を四方に設けるとともに、それぞれの深さを異ならせているため、箱としての強度を保つことができるだけでなく、四方からポケットティッシュペーパーを取り出すことができる。
【００１０】
本考案によれば、一番深い開口部を使用することにより、残りが最後の一枚になっても、ポケットティッシュペーパーを容易に取り出すことができる。
【考案を実施するための最良の形態】
【００１１】
（第１考案）
第１考案のポケットティッシュ箱は、ポケットティッシュペーパーを積み重ねて収納し、所望の枚数が取り出し易い構造になっている。前記ポケットティッシュ箱の前面板は、底板に取り付けられているとともに、前部開口部を有し、前記開口部に指が入り、重ねられたポケットティッシュペーパーの所望枚数が取り出し易くなっている。
【００１２】
前記前面板と底板に取り付けられた左側板と、前記後面板と前記前面板および底板に取り付けられた右側板とは、ポケットティッシュ箱の強度を保持するために開口部が設けられていない。前記左側板と底板に取り付けられた後面板には、前記前部開口部と同じ形状の後部開口部が設けられている。
【００１３】
前記ポケットティッシュ箱は、前部と後部に開口部があるため、ポケットティッシュペーパーの量が判るだけでなく、取り出しが容易である。
【００１４】
（第２考案）
第１考案のポケットティッシュ箱は、前部および後部開口部をほぼ底板に達する深さにすると、強度的に問題があった。第２考案のポケットティッシュ箱は、前記欠点を解決するものであり、側部に開口部を設ける代わりに、前記開口部の高さをそれぞれ変えている。
【００１５】
すなわち、第２考案のポケットティッシュ箱において、前面板は、底板に取り付けられ、ほぼ前記底板に達する前部開口部を有し、ポケットティッシュペーパーがほとんど無くなるまで、取り出すことが容易にできる。左側板は、前記前面板と底板とに取り付けられ、前記前部開口部に次ぐ深さに達する左側部開口部を有する。
【００１６】
後面板は、前記左側板と底板とに取り付けられ、前記左側部開口部より浅い後部開口部を有する。右側板は、前記後面板と前記前面板および底板に取り付けられ、前記後部開口部よりさらに浅い右側部開口部を有する。前記ポケットティッシュ箱は、各開口部がそれぞれ深さを異ならせているため、箱としての強度を保つことができるだけでなく、四方からポケットティッシュペーパーを取り出すことが容易にできる。
【実施例１】
【００１７】
図１は本考案の第１実施例で、ポケットティッシュ箱を説明するための斜視図である。図２は本考案の第１実施例で、ポケットティッシュ箱を説明するための正面図である。図３は本考案の第１実施例で、ポケットティッシュ箱を説明するための側面図である。図４は本考案の第１実施例で、ポケットティッシュ箱を説明するための上面図である。
【００１８】
図１から図４において、ポケットティッシュ箱１１の大きさは、折り畳まれて内部に入れるポケットティッシュペーパー１２よりやや大きめに作製される。前記ポケットティッシュ箱１１は、底板１１１に対して、取り付けられた前面板１１２、左側板１１３、後面板１１４、および右側板１１５から構成されている。
【００１９】
前記前面板１１２は、底板１１１に取り付けられているとともに、前部開口部１１７が設けられている。前記左側板１１３は、前記前面板１１２と底板１１１とに取り付けられている。前記後面板１１４は、前記左側板１１３と底板１１１とに取り付けられているとともに、後部開口部１１８が設けられている。
【００２０】
前記右側板１１５は、前記後面板１１４と前記前面板１１２および底板１１１に取り付けられている。前記前部開口部１１７および前記後部開口部１１８は、たとえば、親指よりやや幅を広げた程度の開口であり、それ以上広いと、箱としての強度が問題になる。
【００２１】
ポケットティッシュペーパー１２は、ポケットティッシュ箱１１の上部にある上部開口部１１６から積み重ねるようにして入れられる。前記ポケットティッシュペーパー１２は、ポケットティッシュ箱１１に積み重ねる場合、前部開口部１１７および後部開口部１１８があるために、積み重ね易い。
【００２２】
前記ポケットティッシュペーパー１２は、ポケットティッシュ箱１１から取り出す場合、親指および人指し指を前記いずれかの開口部から見える部分に当てることにより容易に取り出される。
【実施例２】
【００２３】
図５は本考案の第２実施例で、ポケットティッシュ箱を説明するための斜視図である。図６は本考案の第２実施例で、ポケットティッシュ箱を説明するための正面図である。図７は本考案の第２実施例で、ポケットティッシュ箱を説明するための側面図である。図８は本考案の第２実施例で、ポケットティッシュ箱を説明するための上面図である。
【００２４】
図６から図８において、ポケットティッシュ箱５１の大きさは、折り畳まれて内部に入れるポケットティッシュペーパーよりやや大きめに作製される。前記ポケットティッシュ箱５１は、底板５１１に対して、取り付けられた前面板５１２、左側板５１３、後面板５１４、および右側板５１５から構成されている。
【００２５】
前記前面板５１２は、底板５１１に取り付けられているとともに、前記底板５１１にほぼ達する前部開口部５１７が設けられている。前記左側板５１３は、前記前面板５１２と底板５１１とに取り付けられているとともに、前記前部開口部５１７より浅い左側部開口部５１８が設けられている。前記後面板５１４は、前記左側板５１３と底板５１１とに取り付けられているとともに、前記左側部開口部５１８より浅い後部開口部１１９が設けられている。
【００２６】
前記右側板５１５は、前記後面板５１４と前記前面板５１２および底板５１１に取り付けられているとともに、前記後部開口部５１９より浅い右側部開口部５２０が設けられている。前記前部開口部５１７、前記左側部開口部５１８、前記後部開口部５１９、および前記右側部開口部５２０は、たとえば、順に深さが浅くなっているとともに、親指よりやや幅を広げた程度の開口になっている。
【００２７】
前記各開口部の深さは、一番深い所が底板５１１に近く、その他の位置を任意に変えることができる。すなわち、前記開口部の深さは、第２実施例のように、順次左周りに少しずつ浅くする必要はない。
【００２８】
前記ポケットティッシュ箱１１、５１の材質は、たとえば、木製、陶磁器製、、ガラス製、プラスチック製、金属製等により作製することがでる。前記木製または陶磁器製は、高級感を出すことができる。前記プラスチック製は、安価なものとすることができる。前記金属製および陶磁器製は、ペーパーウエイト等に兼用することができる。
【００２９】
前記ポケットティッシュ箱１１、５１は、通常のティシュ箱より小さいため、机等においても邪魔にならない。また、木製は、木目を出したり、寄木細工とすることにより、装飾品とすることもできる。同様に、他の部材であっても、側部に模様を設けることにより、前記ポケットティッシュ箱は、装飾品になる。
【産業上の利用可能性】
【００３０】
以上、本実施例を詳述したが、本考案は、前記本実施例に限定されるものではなく、実用新案登録請求の範囲に記載されている事項を逸脱することがなければ、種々の設計変更を行うことが可能である。たとえば、本考案のポケットティッシュ箱に使用する材質は、公知または周知の素材を使用することができる。
【００３１】
前記ポケットティッシュ箱の側面に設ける模様は、公知または周知のデザインを取り入れることができる。ポケットティッシュ箱の各部の接合は、公知または周知の固着手段を用いることができる。
【図面の簡単な説明】
【００３２】
【図１】本考案の第１実施例で、ポケットティッシュ箱を説明するための斜視図である。（実施例１）
【図２】本考案の第１実施例で、ポケットティッシュ箱を説明するための正面図である。
【図３】本考案の第１実施例で、ポケットティッシュ箱を説明するための側面図である。
【図４】本考案の第１実施例で、ポケットティッシュ箱を説明するための上面図である。
【図５】本考案の第２実施例で、ポケットティッシュ箱を説明するための斜視図である。（実施例２）
【図６】本考案の第２実施例で、ポケットティッシュ箱を説明するための正面図である。
【図７】本考案の第２実施例で、ポケットティッシュ箱を説明するための側面図である。
【図８】本考案の第２実施例で、ポケットティッシュ箱を説明するための上面図である。
【符号の説明】
【００３３】
１１・・・ポケットティッシュ箱
１１１・・・底板
１１２・・・前面板
１１３・・・左側板
１１４・・・後面板
１１５・・・右側板
１１６・・・上部開口部
１１７・・・前部開口部
１１８・・・後部開口部
１１９・・・右上部ファスナ
１２・・・ポケットティッシュペーパー
５１・・・ポケットティッシュ箱
５１１・・・底板
５１２・・・前面板
５１３・・・左側板
５１４・・・後面板
５１５・・・右側板
５１６・・・上部開口部
５１７・・・前部開口部
５１８・・・左側部開口部
５１９・・・後部開口部
５２０・・・右側部開口部
【図１】
0003105973.tif 000003
【図２】
0003105973.tif 000004
【図３】
0003105973.tif 000005
【図４】
0003105973.tif 000006
【図５】
0003105973.tif 000007
【図６】
0003105973.tif 000008
【図７】
0003105973.tif 000009
【図８】
0003105973.tif 000010